(57)【特許請求の範囲】
【請求項１】
表面に液透過性の表面シートを有し、前記表面シートと裏面シートとの間に吸収層が設けられ、前記表面の両側部に縦方向に延びる防漏部と、前記防漏部よりも外側へ延びる延出部とが設けられ、前記延出部の少なくとも一部が前記裏面シート側へ折り曲げられて下着に固着される生理用ナプキンにおいて、
前記防漏部はその頂部で折り返された非親水性シートと縦方向に延びる弾性部材とで形成されており、
前記防漏部の基端部で２枚に重ねられている前記非親水性シートと前記表面シートとが縦方向に延びる接合部で接合されて、前記接合部よりも側方では、前記非親水性シートの一方の部分が前記延出部まで延び、前記延出部において前記非親水性シートの一方の部分と前記裏面シートおよび補強シートとが接合されており、
前記接合部よりも側方では、前記非親水性シートの他方の部分と前記表面シートの一部および前記裏面シートが重ねられた緩衝領域が設けられ、前記緩衝領域を構成している前記非親水性シートの他方の部分の端部および前記表面シートの端部と、前記補強シートの端部との間に、前記裏面シートと前記非親水性シートの一方の部分とを有する可撓領域が形成されており、
前記可撓領域で前記延出部が折り返されることを特徴とする生理用ナプキン。
【請求項２】
前記緩衝領域のガーレー剛性値は、前記可撓領域を１としたときに、２．５〜９の範囲内である請求項１に記載の生理用ナプキン。
【請求項３】
前記可撓領域よりも側方におけるガーレー剛性値は、前記可撓領域を１としたときに、２．５〜９の範囲内である請求項１または２記載の生理用ナプキン。
【発明の詳細な説明】
【０００１】
【発明の属する技術分野】
本発明は、表面の両側部に長手方向に延びる防漏部が設けられ、さらに前記防漏部よりも外側へ延びる延出部の少なくとも一部が裏面シート側へ折り曲げられて下着に固定される生理用ナプキンに関する。
【０００２】
【従来の技術】
生理用ナプキンは、着用中において経血を液吸収層で確実に吸収し、経血が物品の外へ漏れないようにすることが求められる。従来の生理用ナプキンでは、運動によって外力を受けることで物品が変形し、吸収能力が十分に発揮できない状態で上記変形が生じたときに、経血を確実に吸収することができなくなって液漏れが発生し、着衣を汚してしまうことがたびたび引き起こされる。特に、着用者が歩行したり、立ち上がったり、座ったり、運動したりすることで股間の脚の付け根部分が絶えず皮膚に対して移動し、装着した物品と着用者の体との間に隙間が発生し易くなり、隙間から排泄液が流れ出し、いわゆる横漏れを引き起こして着衣を汚してしまう。
【０００３】
そこで、特開平８−２８０７３５号公報などには横漏れを解消するための提案がなされている。これには物品の長手方向の両側に防漏壁が形成され、さらに前記防漏壁の外側へ延びるウイング部が設けられている。装着するときには前記ウイング部を下着のクロッチ部の外側へ折り返して前記クロッチ部の外面に接着剤層を介して固定する。物品の両側では、前記防漏壁と吸収体との間にポケット状の凹部が形成され、経血が前記吸収体に吸収されずにトップシート上を流れてきたとしても前記凹部で塞き止めることができ、横漏れが抑えられるというものである。
【０００４】
【発明が解決しようとする課題】
上記従来の生理用ナプキンでは、物品が下着に固着されることで、下着との連動性を高く維持することができる。
【０００５】
しかし、前記従来の生理用ナプキンは、ウイング部が常に同じ位置で折り曲げられるとは限られず、その結果、生理用ナプキンが下着のクロッチ部に対して右寄りまたは左寄りに片寄った位置に装着されることがある。特に、生理用ナプキンを新品に交換する際に、着衣の汚れを気にするがために慌てて交換されるような場合には、下着の正しい位置への装着が行われないまま使用される場合が多い。
【０００６】
生理用ナプキンが下着のクロッチ部において側方に偏って装着されると、ウイング部を下着のクロッチ部の外面に折り返したときに、生理用ナプキンの表面側に設けられた防漏壁の基部が、ウイング部の基部の折曲げ部に位置する可能性が高くなる。前記防漏壁の基部が前記折曲げ部に位置すると、下着のクロッチ部の縁部付近に設けられた防漏壁が変形して、前記ポケット状の凹部も変形しやすい。
【０００７】
また、大腿部による圧迫によって、下着のクロッチ部に対して側方からの圧力が与えられると、下着のクロッチ部の縁部付近に位置する防漏壁の基部に前記圧力が直接に作用して、防漏壁が変形しやすくなり、防漏壁と肌との間に隙間が発生しやすく、また前記ポケット状の凹部もさらに変形しやすくなって、液漏れ防止効果が低下しやすい。
【０００８】
本発明は上記課題を解決するものであり、延出部の少なくとも一部を下着の外面に折り返したときに、このときの折曲げ部と防漏部の基部との間に確実に距離が開けられるようにして、防漏部が変形しにくく、横漏れ防止効果を高くできる生理用ナプキンを提供することを目的とする。
【０００９】
【課題を解決するための手段】
本発明は、表面に液透過性の表面シートを有し、前記表面シートと裏面シートとの間に吸収層が設けられ、前記表面の両側部に縦方向に延びる防漏部と、前記防漏部よりも外側へ延びる延出部とが設けられ、前記延出部の少なくとも一部が前記裏面シート側へ折り曲げられて下着に固着される生理用ナプキンにおいて、
前記防漏部はその頂部で折り返された非親水性シートと縦方向に延びる弾性部材とで形成されており、
前記防漏部の基端部で２枚に重ねられている前記非親水性シートと前記表面シートとが縦方向に延びる接合部で接合されて、前記接合部よりも側方では、前記非親水性シートの一方の部分が前記延出部まで延び、前記延出部において前記非親水性シートの一方の部分と前記裏面シートおよび補強シートとが接合されており、
前記接合部よりも側方では、前記非親水性シートの他方の部分と前記表面シートの一部および前記裏面シートが重ねられた緩衝領域が設けられ、前記緩衝領域を構成している前記非親水性シートの他方の部分の端部および前記表面シートの端部と、前記補強シートの端部との間に、前記裏面シートと前記非親水性シートの一方の部分とを有する可撓領域が形成されており、
前記可撓領域で前記延出部が折り返されることを特徴とするものである。
【００１０】
前記生理用ナプキンは、延出部が前記可撓領域の部分で折り返されるようになっている。このとき、防漏部の基部の接合部と前記可撓領域との間に間隔が開けられ、前記間隔部分が側方からの押圧力に対する緩衝領域として機能し、前記接合部に側方からの力が直接に作用しにくくなる。よって防漏部の形状が維持されやすく、防漏部による液の横漏れ防止効果の低下を防止できる。
【００１４】
本発明は、前記緩衝領域および前記補強シートが設けられた延出部で剛性が高く、前記補強シートの縁部と前記緩衝領域の間の領域を前記可撓領域とすることにより、簡単な構造でありながら、延出部を可撓領域の部分で確実に折り返すことができるようになる。
【００１５】
ここで、前記緩衝領域のガーレー剛性値は、前記可撓領域を１としたときに、２．５〜９の範囲内であることが好ましく、
また、前記可撓領域よりも側方におけるガーレー剛性値は、前記可撓領域を１としたときに、２．５〜９の範囲内であることが好ましい。
【００１６】
ガーレー剛性値が、前記範囲未満であると、前記可撓領域以外の部分で延出部が折り曲げられやすくなり、前記範囲を超えると、可撓領域以外の領域の剛性が高くなりすぎて、この部分が装着者の肌に硬質感を与えやすくなる。
【００１９】
本発明では前記弾性部材によって立ち上り可能な防漏部が形成されているので、表面シートを伝わった液を前記防漏部で確実に阻止できるようになる。
【００２０】
【発明の実施の形態】
図１は、本発明の生理用ナプキンを示す平面図であり、中央線Ｏ−Ｏを境として左側半分は防漏シートを取り外したときの状態を示し、右側半分は防漏シートが取付けられた状態を示す。図２は図１のＩＩ−ＩＩ線の断面図、図３は下着に装着したときの部分断面図である。
【００２１】
図１と図２に示す生理用ナプキン１は、生理中の女性が下着（外部装着体）のクロッチ部の内面に装着して使用するものである。
【００２２】
生理用ナプキン１の平面形状は、ほぼ円弧形状の前縁部２および同じく円弧形状の後縁部３を有しており、左側縁部４と右側縁部５は、曲線を描く形状であり、左側縁部４と右側縁部５との距離すなわち生理用ナプキン１の幅寸法（Ｘ方向）は、前縁部２と後縁部３と同じ寸法かあるいは前縁部２よりも後縁部３が幅広の寸法となっている。
【００２３】
生理用ナプキン１を前後に二分する中心よりも前記前縁部２に片寄った位置には、左側縁部４と右側縁部５よりも幅方向（Ｘ方向）の外側に突出するウイング部６および７が形成されている。この実施の形態では、延出部の一部である前記ウイング部６および７が下着のクロッチ部の外面に折り返される。
【００２４】
図２に示すように、この生理用ナプキン１は、液不透過性の裏面シート１１と、液透過性の表面シート１２を有している。前記裏面シート１１は、図１に示す生理用ナプキン１の外形状と同じ形状、すなわち前記前縁部２、後縁部３、左側縁部４および右側縁部５、ウイング部６の端縁部６ａおよびウイング部７の端縁部７ａを形成する形状である。
【００２５】
前記表面シート１２は生理用ナプキン１の縦方向に延びる中央線Ｏ−Ｏを含む所定幅の範囲内に設けられており、前記裏面シート１１と前記表面シート１２との間に吸収層１３が設けられている。
【００２６】
前記吸収層１３は所定の厚みを有しており、図１において破線で示しているように、前縁部２ａ、後縁部３ａ、左側縁部４ａおよび右側縁部５ａを有する形状である。前記吸収層１３の前記前縁部２ａ、後縁部３ａ、左側縁部４ａ及び右側縁部５ａは、生理用ナプキン１の前縁部２、後縁部３、左側縁部４及び右側縁部５よりも内側に位置している。
【００２７】
前記吸収層１３と前記表面シート１２の間には、それぞれ３枚重ね状態に折りに畳まれた透液シート３５，３６が重ねられている。この透液吸収シート３５，３６は表面シート１２に与えられた経血を速やかに吸引して吸収層１３へ与える機能を有している。前記透液シート３５，３６の周縁部に沿って、表面シート１２および吸収層１３が加熱・加圧されて圧搾溝１２ａが形成されている。前記圧搾溝１２ａでは前記吸収層１３の密度が高くなっている。また、前記吸収層１３は、前記圧搾溝１２ａの外側の領域で、中央部分よりも薄く形成されている。前記透液シート３５，３６が設置された部分は前記圧搾溝１２ａから盛り上がった隆起部１２ｂとなっており、この前記隆起部１２ｂを装着者の局部に密着させることができ、経血を確実に吸収層１３側に取り込むことができる。
【００２８】
前記吸収層１３の下面と前記裏面シート１１は、ホットメルト接着剤３０を用いて接着されている。また吸収層１３の上面および前記透液シート３５，３６の上面と前記表面シート１２との間も、液の透過を損ねないようにジグザク状や螺旋状に塗布されたホットメルト接着剤を用いて接着されている。
【００２９】
生理用ナプキン１の表面側では、前記中央線Ｏ−Ｏの左右両側に前記中心線Ｏ−Ｏと左右にそれぞれ間隔を開けた位置から両側縁部４，５、およびウイング部６，７の端縁部６ａ，７ａにかけての領域が、非親水性領域１５および１６となっている。本実施の形態の生理用ナプキン１では、前記非親水性領域１５と１６との間が、前記表面シート１２が露出した受液領域１７となっている。
【００３０】
前記非親水性領域１５，１６には、長手方向にほぼ平行に延びる防漏部１５ａ，１６ａと、前記防漏部１５ａ，１６ａよりも外側へ延びる延出部１５ｂ，１６ｂが設けられており、前記ウイング部６，７は、前記延出部１５ｂ，１６ｂの一部分により形成されている。前記防漏部１５ａ，１６ａおよび延出部１５ｂ，１６ｂには、非親水性シート１８が設けられている。
【００３１】
防漏部１５ａ，１６ａでは、頂部２１において前記非親水性シート１８が折り曲げられており、折り曲げられた非親水性シート１８は、前記防漏部１５ａ，１６ａの基端部において前記表面シート１２と接合されて接合部２０が形成されている。よって、前記接合部２０から前記頂部２１までの領域が前記防漏部１５ａ，１６ａとなり、前記接合部２０から両側縁部４，５およびウイング部６，７の端縁部６ａ，７ａまでが前記延出部１５ｂ，１６ｂとなっている。
【００３２】
前記防漏部１５ａ，１６ａの内部には、長手方向に延びる複数の弾性部材２２が接着されている。この弾性部材２２は伸長させた状態で前記非親水性シート１８に接合され、前記防漏部１５ａ，１６ａには長手方向において弾性収縮力が作用している。また、前記防漏部１５ａ，１６ａを形成している前記非親水性シート１８は、生理用ナプキン１の前後端部において折畳まれた状態でその全体が前記表面シート１２の表面に固定されている。したがって、生理用ナプキン１が自由状態のときに、前記弾性収縮力によって、前記生理用ナプキン１が湾曲させられ、その結果、前記防漏部１５ａ，１６ａは頂部２１が生理用ナプキン１の表面から離れる方向へ立ち上がる。立ち上り状態の前記防漏部１５ａ，１６ａでは、その高さを二分する位置に縦方向に延びる折り線２７，２７が設けられて、前記防漏部１５ａ，１６ａの断面形状はほぼＶ字形状となっている。
【００３３】
そして、前記防漏部１５ａ，１６ａの前記折り線２７，２７よりも下の部分での内壁面と、前記表面シート１２との間に、ポケット状の凹状部２３，２３が形成され、吸収層１３に吸収できずに表面シート１２を伝って側方へ流れ出た経血を、前記凹状部２３で塞き止めることができるようになっている。
【００３４】
ここで、図１の左半部に示されるように、生理用ナプキン１の中央の長さＬ０の領域では、前記防漏部１５ａの基部の前記接合部２０と、前記防漏部１６ａの基部の前記接合部２０との間隔Ｗ０が広くなっており、長さＬ１の前方領域と、長さＬ２の後方領域とでは、間隔Ｗ１が狭くなっている。よって、前記受液領域１７は、中央領域においてわずかに広くなっている。
【００３５】
そして、少なくとも前記縦方向の長さ寸法がＬ０の中央領域の範囲では、図２に示すように、表面シート１２の一部が、前記接合部２０，２０よりも外側へ突出し、前記接合部２０，２０から外側へ突出している前記表面シート１２の端部が、内側補強シート１２ｃ，１２ｄとなっている。さらに、前記防漏部１５ａ，１６ａを構成している非親水性シート１８のうち前記防漏部１５ａ，１６ａの内壁側を構成している部分の端部は、前記接合部２０，２０から外側へ突出しており、前記接合部２０，２０から外側へ突出している前記非親水性シート１８の端部が内側補強シート１８ａ，１８ｂとなっている。
【００３６】
なお、前記表面シート１２の端部で形成された前記内側補強シート１２ｃ，１２ｄは、ホットメルト接着剤３１と３１によって、前記裏面シート１１の表面に接着されているが、前記非親水性シート１８の端部で形成された前記内側補強シート１８ａ，１８ｂは、その上に位置する非親水性シート１８，１８およびその下に位置する前記内側補強シート１２ｃ，１２ｄのいずれとも接着されていない。
【００３７】
一方、前記延出部１５ｂ，１６ｂのウイング部６，７では、前記裏面シート１１と前記非親水性シート１８との間に、補強シート２４，２５が挟まれており、補強シート２４，２５の下面がホットメルト接着剤３０によって前記裏面シート１１に接着されている。また補強シート２４，２５の上面がホットメルト接着剤３１によって前記非親水性シート１８に接着されている。
【００３８】
前記補強シート２４，２５は、ウイング部６，７の形状とほぼ同一の形状であり、前記補強シート２４，２５の内側に向く縁部２４ａ，２５ａは、前記防漏部１５ａ，１６ａの基部の前記接合部２０，２０よりも外側に位置し、且つ前記縁部２４ａ，２５ａと前記接合部２０，２０は平行となっている。
【００３９】
さらに、前記左側縁部４のうちの前記ウイング部６が形成されていない部分、さらに詳しくは、前記ウイング部６の縁と前記側縁部４との境界部分を４ａ１，４ｂ１としたときに、前記補強シート２５の縁部２５ａは、前記境界部分４ａ１，４ｂ１よりも前記中心線Ｏ−Ｏから離れる外側に位置している。他方の補強シート２４においても同じであり、前記補強シート２４の縁部２４ａは、境界部分５ａ１，５ｂ１よりも外側に位置している。
【００４０】
そして、前記補強シート２４の縁部２４ａよりも内側で、前記内側補強シート１２ｃの縁部１２ｃ１および前記内側補強シート１８ａの縁部１８ａ１よりも外側の領域は、剛性の低い可撓領域Ｍとなっている。この可撓領域Ｍでは、裏面シート１１と非親水性シート１８とが重ねられて、ホットメルト接着剤３１により互いに接着されている。同様に、前記補強シート２５の縁部２５ａよりも内側で、前記内側補強シート１２ｄの縁部１２ｄ１および前記内側補強シート１８ｂの縁部１８ｂ１よりも外側の領域には、前記裏面シート１１と非親水性シート１８とが重ねられて接着された可撓領域Ｍが形成されている。
【００４１】
図３に示すように、前記ウイング部６と７を外部装着体２８のクロッチ部の外面に折り返すことができ、しかも前記内側補強シート１２ｃ，１８ａが前記クロッチ部の内面側に位置できるようにするためには、前記可撓領域Ｍの幅寸法Ｗｍは、４ｍｍ以上であることが好ましい。また前記幅寸法Ｗｍの上限は特に規定されるべき理由がないが、通常の生理用ナプキンの寸法から上限は１５ｍｍ以下程度である。
【００４２】
さらに、前記接合部２０から、内側補強シート１２ｃの縁部１２ｃ１までの距離、あるいは前記接合部２０から内側補強シート１８ａの縁部１８ａ１までの距離のいずれか長い方の寸法Ｗｄ、すなわち前記接合部２０から内側補強シート１２ｃが外側へ突出する長さ、あるいは前記接合部２０から内側補強シート１８ａが外側へ突出する長さのうちのいずれか長い方の寸法Ｗｄは、２ｍｍ以上であることが好ましく、さらに好ましくは３ｍｍ以上である。前記長さ以上であれば、図３の装着状態で、前記接合部２０が外部装着体２８のクロッチ部の縁部よりも内側に位置することができ、前記クロッチ部の側方から力Ｐが作用したときに、この力が前記接合部２０および防漏部１５ａに直接に作用しにくくなる。そして、この実施の形態では、前記幅寸法Ｗｄの領域が緩衝領域Ｄとなっている。
【００４３】
なお、前記寸法は、前記補強シート２５が設けられている側においても同じである。
【００４４】
前記延出部１５ｂ，１６ｂにおいて、前記可撓領域Ｍ，Ｍのガーレー剛性値を「１」としたときに、前記内側補強シート１２ｃ，１２ｄおよび前記内側補強シート１８ａ，１８ｂが設けられている領域、すなわち前記接合部２０と前記可撓領域Ｍとで挟まれた緩衝領域Ｄのガーレー剛性値、および前記補強シート２４，２５が設けられているウイング部６，７のガーレー剛性値は、２．５以上で９以下であることが好ましい。前記範囲未満であると、ウイング部６，７を折り返すときの可撓領域を明確にすることができず、接合部２０の直近や補強シート２４，２５が設けられている部分で折れが生じるおそれがある。また前記範囲を超えると、可撓領域Ｍの直近の領域の剛性が高くなり、装着者に剛直感を与えるおそれがある。
【００４５】
図２に示すように、前記ウイング部６と７の裏側では、前記裏面シート１１の外面に、下着へ固着するための感圧接着剤層３４，３４が設けられている。また生理用ナプキン１の中央部の裏面においても、前記裏面シート１１の外面に帯状の感圧接着剤層３２，３２が設けられている。そして、使用前の状態では、前記感圧接着剤層３４，３４と前記感圧接着剤層３２，３２の表面に離型シート３３が貼られている。
【００４６】
以下、本発明の生理用ナプキン１を形成する各素材の好ましい例を説明する。前記裏面シート１１は、液不透過性シートであり、例えばＰＥ（ポリエチレン）、ＰＰ（ポリプロピレン）、ＰＥＴ（ポリエチレンテレフタレート）およびＥＶＡ（エチレン・酢酸ビニル共重合体）のうちの１種または２種以上を組合わせて得られる樹脂フィルム、または前記樹脂フィルムにフィラー等を添加し、延伸して微細な孔を形成して透湿性を付与したものを用いることができる。または樹脂と紙のラミネート材、不織布と樹脂フィルムとが積層されたシートなどであってもよい。
【００４７】
前記表面シート１２は液透過性シートであり、例えばＰＥ、ＰＰ、ＰＥＴおよびＥＶＡから選択される１種または２種以上を組合わせて得られる樹脂フィルムに液が透過することが可能な大きさの孔を多数形成したフィルム、またはＰＥ、ＰＰ、ＰＥＴなどを含む複合繊維を熱風、圧力または水流によって交絡、接合させた繊維不織布などから選択できる。
【００４８】
前記吸収層１３は、粉砕パルプとＳＡＰ（高吸収性ポリマー）とが混合されたもので液透過性の紙やセルロースシートで包んだもの、セルロースファイバをバインダー処理でシート化したもの、綿状パルプ、エアレイドパルプ、連続気泡タイプの親水性フォーム、薄葉紙、親水性繊維を使用したスパンレース不織布、親水処理を施したメルトブローン不織布、吸収紙、あるいはコットンリンターパルプなど、またはこれらを組合わせたものから選択できるが、吸収層として通常使用されるものであればこれらに限定されるものではない。
【００４９】
前記透液シート３５，３６は、例えば、液吸収性が高く且つ嵩高な不織布などで形成されている。
【００５０】
前記非親水性シート１８は、液を浸透および透過させず、しかも柔軟な素材を選択することが好ましい。例えば、ＰＰ繊維、あるいはＰＥ／ＰＰ、ＰＥ／ＰＥＴ、ＰＰ／ＥＶＡ等の複合繊維で繊度が１．１ｄｔｅｘ〜６．７ｄｔｅｘのもので形成された不織布で、例えばエアースルー法で形成された不織布を用いることが好ましい。繊度が１．１ｄｔｅｘ未満では、毛細管作用を強めてしまい排泄液を誘導しやすくなり、また吸収を促進させて、一旦吸収層１３に吸収された排泄液を逆に吸収してしまうので好ましくなく、また繊度が６．７ｄｔｅｘを越えると繊維の剛直性が増加し、着用感が損われる。
【００５１】
前記非親水性シート１８として用いられるエアースルー不織布は、目付けを１０〜４０ｇ／ｍ2とすることが好ましく、目付けが１０ｇ／ｍ2未満では一旦吸収層１３に吸収された排泄液を圧迫時に容易に圧出させてしまい、目付けが４０ｇ／ｍ2を越えると着用感が損われる。また前記エアースルー不織布に代えて繊維を連続紡糸して得られるスパンボンド不織布であってもよい。または前記エアースルー不織布またはスパンボンド不織布にＰＥ樹脂をラミネートしたシートを用いてもよい。このラミネート処理は前記不織布の全面に施してもよく、または部分的に施してもよい。不織布の全面に施す場合には、シートの剛直性が増加して装着感を損わないようにできるだけ薄く形成することが好ましく、１０μｍ以下とすることが好ましい。また不織布に部分的に施す場合には、シートの剛直性が増加して装着感が損われないようにラミネート部分の面積率を５０％以下に設定することが好ましい。
【００５２】
さらに非親水性シート１８の他の具体例としては、ＰＥ、ＰＰ、ＥＶＡ等から選択される樹脂で形成された樹脂フィルムであってもよい。この場合の樹脂フィルムの目付けは１０〜３５ｇ／ｍ2であることが好ましい。
【００５３】
前記防漏部１５ａ，１６ａに使用される前記弾性部材２２としては、オレフィン系のフィルムや紡糸体、ウレタン系の弾性糸や発泡体、天然ゴムを糸状またはリボン状にしたもの、あるいはこれらを組合わせたものから選択できる。
【００５４】
また、前記補強シート２４，２５は、前記非親水性シート１８と同じエアースルー不織布、スパンボンド不織布、樹脂フィルムを使用できる。また、この補強シート２４，２５は非親水性であることが好ましい。あるいは、前記補強シート２４，２５として紙材を使用することができる。この場合の紙材は、ある程度の剛性を発揮できるようにするために、クレープが形成されていないものを使用することが好ましい。また、前記補強シート２４，２５として、前記不織布、樹脂フィルム、紙材を組合せて２枚以上の構成としてもよい。
【００５５】
図３に示すように、上記した生理用ナプキン１を下着などの外部装着体２８のクロッチ部に装着する際には、中央部に設けられている感圧接着剤層３２，３２を外部装着体２８のクロッチ部の内面に押し当てて固定する。さらに前記ウイング部６および７を可撓領域Ｍ，Ｍにおいて折り曲げて、外部装着体２８のクロッチ部の外面に重ねるように折り返し、感圧接着剤層３４を介して外部装着体２８の外面に押し当てて固定する。
【００５６】
ここで、幅が４ｍｍ以上の可撓領域Ｍ，Ｍを曲げ部として前記ウイング部６と７とを折り返すと、補強シート２４，２５の縁部２４ａ，２５ａが外部装着体２８のクロッチ部の左右両側部とほぼ一致するような状態で前記ウイング部６と７が折り返されて外部装着体２８の外面に固着される。また、前記内側補強シート１２ｃ，１２ｄおよび内側補強シート１８ａ，１８ｂが設けられている緩衝領域Ｄは、外部装着体２８の内面においてクロッチ部の両側縁部の内側に位置するようになる。
【００５７】
ここで、前記内側補強シート１２ｃ，１２ｄおよび内側補強シート１８ａ，１８ｂが設けられている緩衝領域Ｄと、補強シート２４，２５が設けられているウイング部６，７のガーレー剛性値が、可撓領域Ｍのガーレー剛性値の２．５倍以上で９倍以下であると、可撓領域Ｍ，Ｍの部分で折られやすくなる。
【００５８】
さらに、前記補強シート２４の縁部２４ａおよび補強シート２５の縁部２５ａは、ウイング部６と７の基端部の境界部分４ａ１，４ｂ１および境界部分５ａ１，５ｂ１よりも外側に位置しているため、可撓領域Ｍ，Ｍの部分で折り曲げるときに、ウイング部６，７以外の延出部１５ｂ，１６ｂが外部装着体２８の外面に向けて折り曲げられるのを防止しやすい。
【００５９】
また、前記内側補強シート１２ｃ，１２ｄおよび内側補強シート１８ａ，１８ｂが設けられている緩衝領域Ｄが、外部装着体２８のクロッチ部の内面側に位置することで、前記接合部２０，２０が外部装着体２８のクロッチ部の縁部よりも内側に位置でき、この接合部２０を起点として防漏部１５ａ，１６ａが装着者の肌に向けて確実に立ち上がって肌に密着しやすくなる。すなわち、前記内側補強シート１２ｃ，１２ｄおよび内側補強シート１８ａ，１８ｂが設けられていないと、ウイング部６，７を折り返したときに前記接合部２０が外部装着体２８の縁部付近の折曲げ部に位置することが有り得る。このような場合、防漏部１５ａ，１６ａが外側へ倒れやすくなり、ポケット状の凹状部２３で、液を止めることができにくくなるおそれがある。しかし接合部２０，２０の外側に、少なくとも２ｍｍ以上の前記緩衝領域Ｄを設けておくことにより、防漏部１５ａ，１６ａを外部装着体２８のクロッチ部の内面を起点として装着者の方向へ起立させやすくなる。
【００６０】
また、装着者の大腿部（Ｐ方向）からの圧迫によって生理用ナプキン１の側部から力Ｐが作用したとしても、この力が前記内側補強シート１２ｃ，１２ｄおよび内側補強シート１８ａ，１８ｂが設けられている緩衝領域Ｄによって緩衝され、前記力が、防漏部１５ａ，１６ａの基部である前記接合部２０，２０に直接に作用しにくい。よって、防漏部１５ａ，１６ａが変形しにくく、防漏部１５ａ，１６ａの起立状態を維持でき、防漏部１５ａ，１６ａの内壁面と表面シート１２との間にＶ字形状の凹状部２３，２３を維持しやすくなり、表面シート１２に沿って側方へ流れた経血を前記凹状部２３，２３で止めることができる。
【００６１】
さらに、前記可撓領域Ｍ，Ｍでは、非親水性シート１８と非親水性の裏面シート１１とが接着されているため、前記表面シート１２を伝わって接合部２０を越えて滲み出た経血を可撓領域Ｍ，Ｍにおいて留めることができ、装着者の肌に前記経血が直接に付着しにくい。また前記可撓領域Ｍ，Ｍ内を浸透した経血は非親水性である前記補強シート２４，２５の縁部２４ａ，２５ａで堰き止められるため、ウイング部６，７の内部へ浸透することがない。よって経血が外部装着体２８の外面に及ぶのを防止することができる。
【００６２】
図４は参考例を示す半断面図である。
図４に示す参考例では、延出部１５ｂ，１６ｂにおいて、前記裏面シート１１と前記非親水性シート１８とが、接合部２０と平行な連続したまたは間欠的なエンボス部４１により加圧されて熱融着されている。また、前記表面シート１２の端部が接合部２０よりも外側へ突出して内側補強シート１２ｃが形成され、表面シート１８の一部が接合部２０よりも外側に突出して内側補強シート１８ａが形成されている。そして、前記内側補強シート１８ａは上下のシートに接着されていない。
【００６３】
よって、前記エンボス部４１と、それ以外の部分とで剛性差が生じ、前記エンボス部４１の内側の縁部４１ａと、前記内側補強シート１２ｃ，１８ａの縁部１２ｃ１，１８ａ１との間に可撓領域Ｍが形成され、前記内側補強シート１２ｃおよび内側補強シート１８ａが設けられた領域が緩衝領域Ｄとして機能するようになっている。
【００６４】
なお、前記参考例において、前記緩衝領域Ｄに、前記表面シート１２や非親水性シート１８と別体の内側補強シートを設け、この内側補強シートの外側に向く縁部の外側を可撓領域Ｍとしてもよい。さらに、前記内側補強シートや補強シートに代えて裏面シート１１と非親水性シート１８とを接着するホットメルト接着剤を介在させ、硬化したホットメルト接着剤の縁部から外れた領域を可撓領域Ｍとしてもよい。
【００６６】
【実施例】
以下、実施例と比較例をあげて本発明を詳述するが、本発明はこれに限定されるものではない。
【００６７】
まず、基準試験片Ａの評価を行った。この基準試験片Ａは、図１ないし図３に示す生理用ナプキン１の前記可撓領域Ｍを想定して、非親水性シート１８と裏面シート１１のみを重ねて接着したものである。非親水性シートとして、目付けが２２ｇ／ｍ2のＰＥ／ＰＰ複合樹脂製のスパンボンド不織布を使用し、裏面シートとして、目付けが２３．５ｇ／ｍ2のＰＥ樹脂製のフィルムを使用した。
【００６８】
この基準試験片Ａを５１ｍｍ（前記生理用ナプキンの長手方向に相当する長さ）×１２．７ｍｍ（前記長手方向に直交する方向に相当）にカットして、ガーレーこわさ試験機（安田精機製）のチャックに前記基準試験片Ａの長手方向側を把持させ、チャックを等速度で振ったときの振り子の目盛りを記録して剛性値（ｍＮ）を測定した。なお、このガーレーこわさ試験はＪＩＳ−Ｌ１０１８に準じて行った。このときの剛性値は０．０３４３ｍＮであった。
【００６９】
実施例１では、前記内側補強シート１２ｃ，１２ｄおよび内側補強シート１８ａ，１８ｂを想定して、目付けが２２ｇ／ｍ2のＰＥ／ＰＰ複合樹脂製のスパンボンド不織布１枚と目付けが２５ｇ／ｍ2のＰＥ／ＰＥＴ複合樹脂製のエアースルー不織布１枚を前記基準試験片Ａの間に介装したものを使用して試験片とし、前記と同様にしてガーレー剛性値を測定した。
【００７０】
そして、実施例１では、前記の素材を使用して図１ないし図３に示すのと同じ構造の生理用ナプキンを製造した。
【００７１】
以下の実施例２，３と、比較例１，２は、内側補強シートの素材のみを変更してガーレー剛性値を測定すると共に、その素材を用いて図１ないし３に示すのと同じ生理用ナプキンを製造した。
【００７２】
内側補強シートとして、実施例２では、目付けが２２ｇ／ｍ2のＰＥ／ＰＰ複合樹脂製のスパンボンド不織布１枚と目付けが２５ｇ／ｍ2のＰＥ／ＰＥＴ複合樹脂製のエアースルー不織布２枚を使用した。
【００７３】
実施例３では、目付けが３０ｇ／ｍ2のノンクレープ紙を使用した。
比較例１では、目付けが２５ｇ／ｍ2のＰＥ／ＰＥＴ製のエアースルー不織布１枚を使用した。
【００７４】
比較例２では、目付け４５ｇ／ｍ2のノンクレープ紙を使用した。
次に、基準試験片Ｂの評価を行った。この基準試験片Ｂは、非親水性シート１８を想定した目付けが２７ｇ／ｍ2のＰＥ／ＰＰ複合樹脂製のスパンボンド不織布と、裏面シート１１を想定した目付けが２３．５ｇ／ｍ2のＰＥ樹脂製のフィルムを積層して接着した。この基準試験片Ｂを前記と同様に５１ｍｍ×１２．７ｍｍにカットして、ガーレーこわさ試験機（安田精機製）にてガーレー剛性値を測定した。
【００７５】
さらに以下の実施例および比較例を想定して前記基準試験片Ｂの間に内側補強シートを想定したシートを介在させて、ガーレー剛性値を測定した。そして前記各シートを内側補強シートとして、図１ないし３に示すのと同じ構造の生理用ナプキンを製造して以下の実施例および比較例とした。
【００７６】
実施例４では、内側補強シートとして目付けが２７ｇ／ｍ2のＰＥ樹脂製の開孔フィルムを使用した。
【００７７】
実施例５では、２７ｇ／ｍ2のＰＥ／ＰＰ複合樹脂製のスパンボンド不織布１枚と２７ｇ／ｍ2のＰＥ樹脂製の開孔フィルム１枚を使用した。
【００７８】
実施例６では、３０ｇ／ｍ2のノンクレープ紙を使用した。
また比較例３では、４５ｇ／ｍ2のノンクレープ紙を使用した。
【００７９】
上記した実施例１〜６および比較例１〜３の生理用ナプキンについて、折り曲げ性と風合いについて評価した。結果を表１に示す。表１中、折り曲げ性において、折り曲げにくさを感じた場合を×印で示し、また風合いにおいて、ごわごわして柔らかさが感じられなかった場合を×印で示した。
【００８０】
【表１】
0003922897.tif 000002
【００８１】
実施例１〜６では、可撓領域に対して内側補強シートを設けた部分のガーレー剛性値の比が２．５倍〜９倍の範囲内に収まるように形成したので、折り曲げ性と風合いの双方が良好なものが得られる。一方、比較例１に示すように、剛性値の比が２．５倍以下になると折り曲げ性が損われ、比較例２，３に示すように、剛性値の比が９倍以上になると風合いが低下し、装着感が損われる。
【００８２】
【発明の効果】
以上説明した本発明では、生理用ナプキンの下着などの外部装着体のクロッチ部の中央領域に設置しやすくなる。また側方からの力が与えられても、防漏部が変形などしにくく、防漏部による防漏効果を常に確実に発揮できるようになる。
【図面の簡単な説明】
【図１】本発明の生理用ナプキンを示す平面図であり、Ｏ−Ｏ線を境とした左側半分は比親水性シートを取り外した状態を示し、右側半分は非親水性シートが取付けられた状態を示す、
【図２】図１のＩＩ−ＩＩ線の断面図、
【図３】本発明の生理用ナプキンを外部装着体に装着したときの状態を示す断面図、
【図４】生理用ナプキンの参考例を示す半断面図
【符号の説明】
Ｄ  緩衝領域
Ｍ  可撓領域
１  生理用ナプキン
６，７  ウイング部
１１  裏面シート
１２  表面シート
１２ｃ，１２ｄ  内側補強シート
１３  吸収層
１５，１６  非親水性領域
１５ａ，１６ａ  防漏部
１５ｂ，１６ｂ  延出部
１８  非親水性シート
１８ａ，１８ｂ  内側補強シート
２０  接合部
２２  弾性部材
２３  凹状部
２４，２５  補強シート
３２，３４  感圧接着剤層
【図１】
0003922897.tif 000003
【図２】
0003922897.tif 000004
【図３】
0003922897.tif 000005
【図４】
0003922897.tif 000006